(57)【要約】【課題】幕の隅部及び周辺部に布製テープからなる透明補強部材を用い、剥がれにくい形状を持ち、かつ補強した部分が図８に示すように、内部視認性を有しているため目立たず、薄い布生地であっても、強化された隅部と辺部を有し、容易に補強できる正方形、長方形の布製シートであって、幕生地に三角形状、又は多角形状、又は円形状の透明粘着性補強布を取り付けられるようにすることを目的とした。【解決手段】布製、又は樹脂シート製、又は混紡製の幕、又は旗の全周辺隅部にロープ材などによる取り付けのハトメ穴の輪形状を有する、布製、又は樹脂シート製、又は混紡製の幕、又は旗の隅部を補強するにおいて、剥ぎ取り透明樹脂-接着材からなる補強部材を所有している簡易透明貼着補強材である。【選択図】    図５
2014055221.tif 000002
【特許請求の範囲】
【請求項１】
布製、又は樹脂シート製、又はメッシュシート製の幕、又は旗の全周辺隅部にロープ材などによる取り付けのハトメ穴の輪形状を有する、前記の幕、又は旗の全周辺隅部を補強するにおいて、剥ぎ取り透明樹脂-接着材からなる補強部材を所有していることを特徴とする簡易透明貼着補強材。
【請求項２】
剥ぎ取り透明樹脂-接着材からなる補強部材をセットしたシートは、正方形、又は長方形の表面処理した透明樹脂と透明接着剤と剥ぎ取り離型紙からなる積層体を形成しており、使用時に離型紙を剥がして、布製、又は樹脂シート製、又はメッシュシート製の幕、又は旗のハトメ穴の輪形状を取り付ける全周辺隅部分に三角形状、又は多角形状、又は円形状の透明補強部材を貼りつけできるようになっていることを特徴とする請求項１に記載の簡易透明貼着補強材。
【請求項３】
剥ぎ取り透明樹脂-接着材からなる補強部材の透明樹脂は、ポリスチレン樹脂、ポリエステル樹脂、ポリプロピレン樹脂、ポリエチレン樹脂、ポリ塩化ビニール樹脂、ポリビニールアルコ−ル樹脂、エチレンビニールアルコール樹脂の透明性の材料で、厚さ０．３ｍｍ〜２ｍｍであって、前記樹脂で０．１ｍｍ〜１５ｍｍで格子状に編んだ糸を透明な合成樹脂で貼り合わせたラミネート材料で、引張り強度を１０〜５０ｋｇｆ／３ｃｍであることを特徴とする請求項１又は請求項２に記載の簡易透明貼着補強材。
【請求項４】
剥ぎ取り透明樹脂-接着材付からなる補強部材の接着剤は、エチレン−ビニールアルコール共重合体、エチレン−酢酸ビニール共重合体、エチレン−（メタ）アクリル酸共重合体、エチレン−（メタ）酢酸メチル共重合体、及びエチレン−（無水）マレイン酸から選ばれる少なくとも一種類で、１０〜２００ミクロ塗布していることを特徴とする請求項１〜請求項３のいずれかに記載の簡易透明貼着補強材。
【請求項５】
剥ぎ取り透明樹脂-接着材補強部材をセットしたシートは、横５０ｍｍ〜９００ｍｍ、縦５０ｍｍ〜９００ｍｍの正方形、又は長方形のシート状であって、シート内に２片〜６４片の三角形状、又は多角形状、又は円形状の押し型線を入れた形状になっており、当該樹脂製粘着テープからなる補強部材のシート内の三角形状、又は多角形状、又は円形状は、縦５ｍｍ〜１５０ｍｍ、横５ｍｍ〜１５０ｍｍで、三角形、多角形の鋭角度部、がＲ形状になっていることを特徴とする請求項１〜請求項４のいずれかに記載の簡易透明貼着補強材。
【請求項６】
布製、又は樹脂シート製、又はメッシュシート製の幕、又は旗の全周辺隅部に使用する場合に剥ぎ取り透明樹脂-接着材からなる補強部材をセットしたシートを一枚の正方形、又は長方形状補強布シート内に複数枚をセットした剥ぎ取り構造にして、三角形状、又は多角形状、又は円形状の補強部材は２片〜６４片持つ樹脂製粘着材からなる剥ぎ取り補強部材シートであり、前記の補強部材をセットしたシートを２枚〜１００枚でセットにして、紙又はビニールの袋または容器に収納されていることを特徴とする請求項１〜請求項５のいずれかに記載の簡易透明貼着補強材。
【請求項７】
透明樹脂-接着材からなる補強部材は表面に防水及び耐候機能を付帯した樹脂から選ばれたものであり、補強部材の表面処理したシートに粘着した離型紙は、接着剤を剥がし、接着できる樹脂表面で処理したフイルム状製品であるあることを特徴とする請求項１〜請求項６のいずれかに記載の簡易透明貼着補強材。
【発明の詳細な説明】
【技術分野】
【０００１】
本発明は、帆布、繊維、樹脂などのシートなどで製作された幕、旗、などの取り付け部分のハトメ穴の補強に使用される簡易接着補強材に関するものである。
【背景技術】
【０００２】
ターポリンとは「ポリエステル繊維の織物」を「軟質な合成樹脂フイルム」でサンドしたビニール系ラミネート素材である。旗、幕、幟などの縫製加工による騒音、また、熟練作業員の確保が難しく、かつ、労賃の上昇が著しい現在、生産性の低下、コストの著しい上昇等の問題が生じ、縫製という熟練を必要とする作業を止め、これを誰にでも簡単にでき熟練を要しない、かつ、自動化も容易な熱接着の作業に改められている。
【０００３】
旗、幕、幟などの隅部及び辺部補強部に、一面にホットメルトタイプの接着剤を施したシートを形成した補強片を隅部及び辺部補強部に加熱加圧により接着し、補強片を接着した隅部及び辺部補強部に紐を挿通するための孔を設け、前記孔の縁に金属製の補強リングを固定した旗、幕、幟が実用に供されている（特許文献１参照）。
【０００４】
フイルム、金属製の補強リングなどが使われているため、用済み後の焼却処理で、フイルム、金属製の補強リングの素材が公害につながるため処理できないという欠点があった。また、加工が簡単で、強度も確保できる補強部材の固定方法を適用した布製の横断幕、懸吊幕も提供されているが、布製の横断幕、懸吊幕の辺部に設けられた補強部材に布製テープを用い、辺部を内側に折り返し、補強用の紐を包み込み、長手方向に二つ折りした補強部材を、辺部折り返し部に綴じ込み縫いし、本体に補強部材を重ねたままハトメ打ち加工を施した横断幕、懸吊幕も実用に供されている（特許文献２参照）。
【０００５】
強度確保のため、ハトメ穴が用いられているため、用済み後の焼却処理前に、ハトメ穴を本体幕から外さなければ成らないなどの問題があった。
【０００６】
この改善策として、ハトメを使わない横断幕で、薄い布地でも風によるホツレが生ぜず、製作容易なロープ捲き込み仕立て横断幕が提供されている（特許文献３参照）。
【０００７】
ロープ捲き込み仕立て横断幕はあて皮、ハトメなどの補強材を一切用いず、辺部を折り返し部にロープを捲き込みながら包み込み、辺部を縫着した辺部折り返し部と、辺部折り返し部の端部から引き出されたロープ材よりなる隅部取付部と、を備えた横断幕であって、横断幕の辺部折り返し部にチギレからなる補強部材で同時縫製加工を施す。
【０００８】
補強のためのあて皮、ハトメ打ち加工が省け作業性も良くなり、コスト的にも低価格が維持でき、用済み後の焼却処理もでき、環境保全に貢献できる横断幕の提供を行っている。
【０００９】
ハトメ止めのためのあて皮などを使わず、辺部折り返し部に布製テープからなる補強部材を用い、薄い生地であっても、強化された隅部と辺部を有し、製作容易な横断幕を提供するに当たって、使用生地の４隅を補強する手段としてのあて皮をつかわず、横断幕設置ロープのためのハトメを使わない横断幕であって、横断幕の辺部上下折り返し部に布製テープからなる補強部材が設けられてなる横断幕が提案されている（特許文献４参照）。
【００１０】
天然繊維を素材とする布体においては、合成樹脂塗料をスクリーン印刷等により前記布体の片面の所定位置に所定幅で形成した１本又は複数列の帯状の補強部材と、該補強部材の長辺方向の両端部寄りに取付けた環状の合成樹脂製のハトメで丸孔を形成し対向する該ハ
トメの側壁面と側壁面の間の前記補強部材と一体化した前記布体を表裏一体に裁断して形成した１又は複数本の風抜き用のスリットとで布製宣伝用媒体を構成しているものが提案されている（特許文献５参照）。
【００１１】
また雨水排出部を有するテント生地を、伸縮する梁部材または棟部材に弛みがないように張設する方法が提案されている（特許文献６参照）。
【００１２】
縫着による三角補強材と旗の隅部との固着ではミシンなどによる手作業であるが為に、非常な手間と労力を要し、作業効率が非常に悪い問題がある。そこで上記問題点を解消するために、三角補強材と旗の隅部とを縫着によらないで両面接着によって固着する三角補強材およびそれを用いた旗が提供されている（特許文献７参照）。
しかし旗、幕、幟を補強するために、ハトメ穴付近に補強材を貼った場合には、旗、幕、幟の文字、図柄が消えることがある。また補強材として透明でない場合にはその部分で違和感を持つことになる。そこで補強材が透明材料を使用すれば問題が解決されるが、今までに強度、耐久性、変色などから十分に満足するものは存在していなかった。
【先行技術文献】
【特許文献】
【００１３】
【特許文献１】特開平０4-１４６４８１号公報
【特許文献２】特開２０００−３２２０１５号公報
【特許文献３】実用新案登録第３１０５６１６号公報
【特許文献４】実用新案登録第３１１３８９８号公報
【特許文献５】特開平１１−２９６１２１号公報
【特許文献６】特開平９−１３７４７号公報
【特許文献７】実用新案登録第３０２５９９８号公報
【発明の概要】
【発明が解決しようとする課題】
【００１４】
旗、幕、幟を補強するために、ハトメ穴付近に補強材を貼った場合には、旗、幕、幟の文字、図柄が部分的に消えることがある。また補強材として透明でない場合にはその部分で違和感を持つことになる。そこで補強材が透明材料を使用すれば上記の問題が解決されるが、今までに材料的に適切なものがなく、一般の透明材料を使用すると補強材の強度、耐久性、変色などから十分に満足するものではなかった。
【００１５】
本発明は、従来の有するこれらの問題点に鑑みて、発案されたものであり、その目的とするところは、幕、又は旗の全周辺隅部に透明樹脂製シートと強力粘着剤からなる補強部材を用い、薄い布地であっても、強化された隅部と周辺部を有し、簡単に補強部分を製作容易な幕、又は旗のハトメ穴部の補強材としても文字、図柄が部分的に消えることなく、また旗、幕、幟に違和感を与えることはないものを提供することにある。
【００１６】
特に布製幕のロープ材による取り付けのハトメ穴の輪形状を有する布製幕の全周辺隅部を補強するにおいて、複数の剥ぎ取り性布製粘着材からなる補強部材を有する透明簡易貼着補強材によって、シート幕のデザインの干渉をしない、目立たない補強材を提供することを目的とする。
【課題を解決するための手段】
【００１７】
布製、又は樹脂シート製、又はメッシュシート製の幕、又は旗の全周辺隅部にロープ材などによる取り付けのハトメ穴の輪形状を有する、前記の幕、又は旗の全周辺隅部を補強するにおいて、剥ぎ取り透明樹脂-接着材からなる補強部材を所有している簡易透明貼着補
強材である。
【００１８】
剥ぎ取り透明樹脂-接着材からなる補強部材をセットしたシートは、正方形、又は長方形の表面処理した透明樹脂と透明接着剤と剥ぎ取り離型紙からなる積層体を形成しており、使用時に離型紙を剥がして、布製、又は樹脂シート製、又はメッシュシート製の幕、又は旗のハトメ穴の輪形状を取り付ける全周辺隅部分に三角形状、又は多角形状、又は円形状の透明補強部材を貼りつけできるようになっている。
【００１９】
剥ぎ取り透明樹脂-接着材からなる補強部材の透明樹脂は、ポリスチレン樹脂、ポリエステル樹脂、ポリプロピレン樹脂、ポリエチレン樹脂、ポリ塩化ビニール樹脂、ポリビニールアルコ−ル樹脂、エチレンビニールアルコール樹脂の透明性の材料で、厚さ０．２ｍｍ〜２ｍｍであって、前記樹脂で０．５ｍｍ〜１５ｍｍで格子状に編んだ糸を透明な合成樹脂で貼り合わせたラミネート材料で、引張り強度を１０〜５０ｋｇｆ／３ｃｍである。特にポリエステル繊維にポリビニールクロライド（ＰＶＣ）をラミネートしたものが望ましい。また好ましいものは厚さ０．５ｍｍ〜１ｍｍであって、前記樹脂で1ｍｍ〜１０ｍｍで格子状に編んだ糸を透明な合成樹脂で貼り合わせたラミネート材料で、引張り強度を１５〜３０ｋｇｆ／３ｃｍである。
【００２０】
製剥ぎ取り透明樹脂-接着材からなる補強部材の接着剤は、エチレン−ビニールアルコール共重合体、エチレン−酢酸ビニール共重合体、エチレン−（メタ）アクリル酸共重合体、エチレン−（メタ）酢酸メチル共重合体、及びエチレン−（無水）マレイン酸から選ばれる少なくとも一種類で、１０〜２００ミクロンに塗布している。好ましい塗膜の厚さは２０〜１００ミクロンである。
【００２１】
剥ぎ取り透明樹脂-接着材からなる補強部材をセットしたシートは、横５０ｍｍ〜９００ｍｍ、縦５０ｍｍ〜９００ｍｍの正方形、又は長方形のシート状であって、シート内に２個〜６４個の三角形状、又は多角形状、又は円形状の押し型線を入れた形状になっており、当該樹脂製粘着材からなる補強部材のシート内の三角形状、又は多角形状、又は円形状は、縦５ｍｍ〜１５０ｍｍで横５ｍｍ〜１５０ｍｍで、三角形または多角形の鋭角度部、がＲ形状になっている。好ましくは横５０ｍｍ〜５００ｍｍ、縦５０ｍｍ〜５００ｍｍの正方形、又は長方形のシート状であって、シート内に１２個〜３２個の三角形状である。
【００２２】
布製、又は樹脂シート製、又はメッシュシート製の幕、又は旗の全周辺隅部に使用する場合に剥ぎ取り透明樹脂-接着材からなる補強部材シートが、三角形状、又は多角形状、又は円形状の補強材シートを一枚の正方形、又は長方形状補強布シート内に複数枚で一体的剥ぎ取り構造にして、正方形、又は長方形状にセットしたシートは、三角形状、又は多角形状、又は円形状の補強部材片を２個〜６４個持つ布製粘着材からなる剥ぎ取り補強部材シートであり、前記の補強部材シートを２枚〜１００枚でセットにして、紙又はビニールの袋または容器に収納されている。
【００２３】
剥ぎ取り透明樹脂-接着材からなる補強部材は内部視認性に優れ、耐候機能を付帯した合成樹脂、から選ばれたものであり、樹脂製粘着テープからなる補強部材の表面処理したシートに粘着した離型紙は、接着剤を剥がし、接着できる樹脂表面で処理したフイルム状製品からなる簡易透明貼着補強材である。
【００２４】
本発明に用いる樹脂製シートは、例えば、ポリエチレン、ポリプロピレン、ポリ塩化ビニル、ナイロン、ポリエステルなどの樹脂製素材からなるモノフィラメント、マルチフィラメント、などの繊維材料で格子間隔０．５ｍｍ〜１５ｍｍで編んだ繊維をラミネートさせて得たシートであり、例えば（厚さ０.１ｍｍ〜１ｍｍで幅０．２ｍｍ〜２ｍｍ）の扁平型の糸で編んだ繊維をラミネートした材料が望ましい。
【００２５】
樹脂素材には、耐候性を向上するために、酸化防止剤、紫外線吸収剤、顔料などを添加したものを使用するもので、サンシャインウェザーメーター１０００ＨＲ、グレースケール４級（屋外耐候３年当）以上の材料であることが望ましい。
【発明の効果】
【００２６】
補強材の樹脂シートは内部視認性に優れており、当該補強材が、布製、又は樹脂シート製、又はメッシュシート製の幕、又は旗に印刷されたデザインの妨げになりにくい、補強された部分が目立たないという効果を持つ。ハトメ穴付近に補強材を貼った場合には、旗、幕、幟の文字、図柄が消えることはなく、また補強材として透明でない場合には違和感があった。
【００２７】
本発明における、簡易透明貼着補強材は、樹脂製素材からなる繊維材料で格子状に編んだ繊維をラミネートさせて得たシートで、当該繊維を樹脂シートでラミネートした材料であり、一般の樹脂フイルムより強度的に高い。
【００２８】
本発明、簡易透明貼着補強材は、横断幕、垂れ幕、旗など、それを使用するため、辺部縫製加工時に容易に取り付けが可能であり、しかも、安価に取り付けが出来る。また、縫製工数が著しく軽減し、経済効果は大きい。
【００２９】
補強材の三角形、多角形の鋭角度部をＲ型の形状を持たすことで、幕の生地と粘着剤とをより剥がれにくくなっている。
【図面の簡単な説明】
【００３０】
【図１】簡易透明貼付補強材の三角形状１片図
【図２】簡易透明貼付補強材の四角形状１片図
【図３】簡易透明貼付補強材の多角形状１片図
【図４】簡易透明貼付補強材の円形状１片図
【図５】簡易透明貼付補強材の三角形状８片セット図
【図６】簡易透明貼付補強材の多角形状４片セット図
【図７】簡易透明貼付補強材の断面図
【図８】簡易透明貼付補強材の印刷物への貼付け図
【図９】簡易透明貼付補強材四角形状片の幕生地への貼付図
【図１０】簡易透明貼付補強材の横断幕への使用図
【図１１】簡易透明貼付補強材の懸垂幕への使用図
【図１２】簡易透明貼付補強材の壁面バナーポールへの使用図
【図１３】簡易透明貼付補強材の街路灯バナーポールへの使用図
【図１４】簡易透明貼付補強材シートの包装形態
【発明を実施するための形態】
【００３１】
垂れ幕、横断幕などの補強に対して、剥ぎ取り透明樹脂-接着材からなる補強部材の正方形、又は長方形の表面処理した樹脂シート図７の４に格子状に編んだ繊維1、をラミネートさせて得たシートと粘着層５、と剥ぎ取り容易な離型紙６、からなる積層体を形成しており、使用時に離型紙６、を剥がして、ハトメ穴８、の輪形状を取り付ける全周辺隅部分に三角形状、又は多角形状、又は円形状図、の補強布部材図１から図４、を貼着できるようになっている簡易透明貼着補強材である。ミシン縫製を不要とする隅部と辺部の強度を確保した製作容易な横断幕図１０、懸垂幕図１１、壁面バナーポール吊下げ幕図１２、街路灯バナーポール吊下げ幕図１３、などに補強材を取り付けた。
【実施例１】
【００３２】
簡易透明貼着補強材として、厚さ０．５ｍｍ、横１４０ｍｍ、縦１４０ｍｍの正方形のシート状布製粘着テープからなる補強部材は、図５に示すようにシート内に８片の二等辺三角形の形状の押し型線３、を入れた形状にした。
【００３３】
この樹脂製シートは、ポリエステルからなるモノフィラメント、繊維材料（厚さ０.２ｍｍで幅1ｍｍ）の扁平型の透明糸で、格子間隔約４ｍｍで編んだ繊維１を樹脂シートでラミネートさせて得たシートにした。
【００３４】
当該布製粘着テープからなる補強部材のシート内の二等辺三角形は、底辺を７５ｍｍの直角三角形で、底辺角度部をＲ形状２、になっており、ターポリン製布製幕の四隅に両辺均等で布地の隅部に、樹脂製粘着テープからなる補強部材シートが、図５に示すように三角形補強布シートを一枚の正方形状補強布シート内に８片で剥ぎ取り形状の構造にして、当該正方形状補強布シートは、直角三角形の補強布シートを８片持つ布製粘着テープからなる剥ぎ取り補強部材シートを２５枚でセットにして図１４、のようにビニール袋に収納した。
【００３５】
この簡易透明貼着補強材を横断幕図１０、幕生地７の四隅部に貼付した。又、幕の周辺中央部は図９に示すように、四角形状の補強材を折返して幕を挟むように貼着し、工具でハトメ穴をあけハトメ８、をかしめ、そのハトメ穴８にロープ１０、を取り付けた。
【実施例２】
【００３６】
簡易透明貼着補強材として、厚さ０．６ｍｍ、横１４０ｍｍ、縦１４０ｍｍの正方形のシート状布製粘着テープからなる補強部材は、図６に示すようにシート内に４片の五角形の形状の押し型線３、を入れた形状にした。
【００３７】
この樹脂製シートは、ポリプロピレンからなるモノフィラメント、繊維材料（厚さ０.３ｍｍで幅１．５ｍｍ）の扁平型の糸で、格子間隔約１０ｍｍで編んだ繊維１、を樹脂シートでラミネートさせて得たシートにした。
【００３８】
当該布製粘着テープからなる補強部材のシート内の変形五角形は、底辺を１００ｍｍの五角形状で、底辺各角度部は直角、になっており、布製幕布地の隅部に、樹脂製粘着テープからなる補強部材シートが、図６に示すように五角形補強布シートを一枚の正方形状補強布シート内に４片で剥ぎ取り形状の構造にして、当該正方形状補強布シートは、五角形の補強布シートを４片持つ樹脂製粘着テープからなる剥ぎ取り補強部材シートを３０枚でセットにして、ビニールの袋に収納した。
【００３９】
簡易透明貼着補強材を懸垂幕図、の隅部に貼付し、補強材を貼り付けたシートに工具で穴をあけ、ハトメ８、をかしめ、そのハトメ穴にロープ１０、ロープを取り付けた。
【実施例３】
【００４０】
簡易透明貼着補強材として、厚さ０．４ｍｍ、横２８０ｍｍ、縦１４０ｍｍの長方形のシート状布製粘着テープからなる補強部材は、シート内に１６個の二等辺三角形の形状の押し型線、を入れた形状にした。
【００４１】
この樹脂製シートは、ポリエチレンからなるモノフィラメント、繊維材料（厚さ０.1ｍｍで幅１ｍｍ）の扁平型の糸で、格子間隔５ｍｍで編んだ繊維1をラミネートさせて得たシートにした。
【００４２】
当該透明樹脂-接着剤からなる補強部材のシート内の二等辺三角形は、底辺を７５ｍｍの
直角三角形で、底辺角度部をＲ形状２、になっており、布製幕の隅部に両辺均等で布地の隅部に、布製粘着テープからなる補強部材シートが、三角形補強布シートを一枚の長方形状補強布シート内に１６片で剥ぎ取り形状の構造にして、当該正方形状補強布シートは、直角三角形の補強部材シートを１６片持つ布製粘着材からなる剥ぎ取り補強部材シートを１５枚でセットにして、紙袋に収納した。
【００４３】
この簡易透明貼着補強材を吊下げ幕隅部に貼着し、工具でハトメ８、をかしめ、壁面バナーポールに図１２のようにロープで取り付けた。
【実施例４】
【００４４】
簡易透明貼着補強材として、厚さ０．３ｍｍ、横９０ｍｍ、縦１４０ｍｍの長方形のシート状布製粘着テープからなる補強部材は、シート内に６片の円形状の押し型線、を入れた形状にした。
【００４５】
この樹脂製シートは、ポリエチレンからなるモノフィラメント、繊維材料（厚さ０.１ｍｍで幅１ｍｍ）の扁平型の糸で、格子間隔３ｍｍで編んだ繊維1をラミネートさせて得たシートにした。
【００４６】
当該透明樹脂-接着剤からなる補強部材のシート内の円形状、図４は、直径４０ｍｍの正円形で、布製幕の隅部及び周辺部に、布製粘着テープからなる補強部材シートが、円形補強布片を一枚の正方形状補強布シート内に６片で剥ぎ取り形状の構造にして、当該長方形状補強布シートは、円形の補強材図４を６片持つ布製粘着材からなる剥ぎ取り補強部材シートを１５枚でセットにして、紙袋に収納した。
【００４７】
この簡易透明貼着補強材を街路灯のバナーポール吊下げ幕隅部に貼着し、工具でハトメ８、をかしめ、バナーポール図１３のようにロープ１０で取り付けた。
【符号の説明】
【００４８】
１．  樹脂製糸
２.   Ｒカット形状
３．  押し型線
４．  樹脂シート
５．  粘着層
６．  離型紙
７．  幕生地
８．  ハトメ
９．  収納用袋
１０．ロープ
１１．収納用袋
【図１】
2014055221.tif 000003
【図２】
2014055221.tif 000004
【図３】
2014055221.tif 000005
【図４】
2014055221.tif 000006
【図５】
2014055221.tif 000007
【図６】
2014055221.tif 000008
【図７】
2014055221.tif 000009
【図８】
2014055221.tif 000010
【図９】
2014055221.tif 000011
【図１０】
2014055221.tif 000012
【図１１】
2014055221.tif 000013
【図１２】
2014055221.tif 000014
【図１３】
2014055221.tif 000015
【図１４】
2014055221.tif 000016